(57)【要約】【課題】選択的に高酸素送出量を長時間生成可能で携帯可能な酸素濃縮装置システムを提供する。【解決手段】酸素濃縮装置システムは携帯式圧縮機を伴う携帯式酸素濃縮装置を有する携帯式システムを備える。携帯式システムは、電源、制御システム及び第１の直接的流体供給を選択的に行う携帯式酸素送出口を備える。載置台が、携帯式システムに係合するように構成される。載置台は、携帯式システムと係合されたとき制御システムにより選択的に制御され、携帯式システムが係合されているとき、携帯式酸素送出口を介した第１の直接的流体供給の間は、定置式酸素送出口を介する第２の直接的流体供給の送出が作動不能となる定置式酸素濃縮装置を有する。さらに、携帯式酸素濃縮装置では、載置台と携帯式システムが係合されているとき、定置式酸素送出口を介した第２の直接的流体供給の間は、携帯式酸素送出口を介する第１の直接的流体供給の送出が作動不能となる。【選択図】図１
2008208023.tif 000002
【特許請求の範囲】
【請求項１】
携帯式圧縮機、電源、制御システム、および第１の直接的流体供給を選択的に行うように構成された携帯式酸素送出口を有する携帯式酸素濃縮装置を備える携帯式システムと、
前記携帯式システムに係合するように構成された載置台であって、該載置台は前記携帯式システムに係合されたとき前記制御システムによって選択的に制御され、前記携帯式酸素送出口を介して前記第１の直接的流体供給が行われている間は、定置式酸素送出口を介する第２の直接的流体供給の送出が作動不能である定置式酸素濃縮装置を有する、前記載置台と、
を備え、
前記携帯式酸素濃縮装置は、前記定置式酸素送出口を介して前記第２の直接的流体供給が行われている間は、前記携帯式酸素送出口を介する前記第１の直接的流体供給の送出が作動不能である酸素濃縮装置システム。
【請求項２】
前記制御システムが、前記携帯式システムまたは前記載置台の作動を選択的に制御するように構成されている、請求項１に記載の酸素濃縮装置システム。
【請求項３】
前記電源が、電池または充電式電池のうち少なくとも１つを備える、請求項１に記載の酸素濃縮装置システム。
【請求項４】
前記載置台に係合され、前記携帯式システムが前記載置台に係合されたとき、前記電源を選択的に充電するように構成された電源充電装置をさらに備える、請求項１に記載の酸素濃縮装置システム。
【請求項５】
前記載置台に連動式に接続され、交流から直流へ電気を変換するように構成されている電気コンバータをさらに備える、請求項１に記載の酸素濃縮装置システム。
【請求項６】
前記載置台に係合された電動機であって、前記携帯式圧縮機に選択的に連結され該携帯式圧縮機を増速駆動して、前記定置式酸素濃縮装置に圧縮流体を供給するように構成された前記電動機をさらに備える、請求項１に記載の酸素濃縮装置システム。
【請求項７】
前記定置式酸素濃縮装置は、前記携帯式システムが前記載置台に係合されたとき、圧縮流体を前記定置式酸素濃縮装置に選択的に供給するように構成された定置式酸素圧縮機を備える、請求項１に記載の酸素濃縮装置システム。
【請求項８】
前記携帯式システムが前記載置台に係合されたとき、前記定置式酸素濃縮装置が作動可能である、請求項１に記載の酸素濃縮装置システム。
【請求項９】
前記携帯式酸素濃縮装置または前記定置式酸素濃縮装置のうち少なくとも１つが、圧力スイング吸着システムを備える、請求項１に記載の酸素濃縮装置システム。
【請求項１０】
前記携帯式システムが、軽量に構成された少なくとも１つの構成要素を備える、請求項１に記載の酸素濃縮装置システム。
【請求項１１】
前記少なくとも１つの構成要素が、前記携帯式圧縮機、前記携帯式酸素濃縮装置、前記電源、前記制御システム、１つまたは複数の弁、１つまたは複数の電気式構成要素、およびそれらの組合せから選択される、請求項１０に記載の酸素濃縮装置システム。
【請求項１２】
前記載置台が、前記定置式酸素送出口を介して高酸素送出量の供給を選択的に行うように構成されている、請求項１に記載の酸素濃縮装置システム。
【請求項１３】
携帯式システムと係合するように構成された載置台であって、
前記携帯式システムは、
携帯式圧縮機を有する携帯式酸素濃縮装置と、
携帯式電源と、
制御システムと、
第１の直接的流体供給を選択的に行うように構成された携帯式酸素送出口と
を備え、
前記載置台は、
前記電源に電力を選択的に導くように構成された電源ジャックと、
前記電源ジャックに電動式接続をされ、前記制御システムから１つまたは複数の制御信号を選択的に受け取るように構成された制御導入口と、
前記制御導入口に電動式接続をされた定置式酸素濃縮装置であって、前記携帯式酸素送出口を介して前記第１の直接的流体供給が行われている間は、定置式酸素送出口を介する第２の直接的流体供給の送出が作動不能であり、前記定置式酸素送出口が流体連通している定置式酸素濃縮装置と、
を備え、
前記携帯式酸素濃縮装置は、前記定置式酸素送出口を介して前記第２の直接的流体供給が行われている間は、前記携帯式酸素送出口を介する前記第１の直接的流体供給の送出が作動不能である、載置台。
【請求項１４】
前記携帯式圧縮機に連結され、該携帯式圧縮機を選択的に増速駆動して、前記定置式酸素濃縮装置に圧縮流体を供給するように構成された電動機をさらに備える、請求項１３に記載の載置台。
【請求項１５】
前記定置式酸素濃縮装置は、前記携帯式システムが前記載置台に係合されたとき、圧縮流体を前記定置式酸素濃縮装置内の圧力スイング吸着システムに選択的に供給するように構成された定置式圧縮機を備える、請求項１３に記載の載置台。
【請求項１６】
前記携帯式システムが前記載置台に係合されたとき、前記定置式酸素濃縮装置が作動可能になる、請求項１３に記載の載置台。
【請求項１７】
前記定置式酸素濃縮装置または前記携帯式酸素濃縮装置のうち少なくとも１つが、圧力スイング吸着システム、真空圧力スイング吸着システム、またはそれらの組合せを備える、請求項１３に記載の載置台。
【請求項１８】
前記電源ジャックに連動式に接続され、電気を交流から直流へ選択的に変換するように構成されている電気コンバータをさらに備える、請求項１３に記載の載置台。
【請求項１９】
前記電源ジャックに連動式に接続され、前記携帯式システムが前記載置台に係合されたとき、前記携帯式電源を選択的に充電するように構成された電源充電装置をさらに備える、請求項１３に記載の載置台。
【発明の詳細な説明】
【技術分野】
【０００１】
本発明は、概して酸素発生装置に関し、より詳細には携帯式酸素濃縮装置を選択的に合体させるためのシステムに関する。
【背景技術】
【０００２】
比較的軽量の携帯式酸素濃縮装置は、多くの利用者にとって、特に夜に定期的に必要になる高酸素送出量の生成には一般的に適していない。逆に、大量の送出酸素の生成に適する酸素濃縮装置は、携帯使用に適するものより大きく、かつ／または重くなる傾向にある。したがって、携帯式酸素濃縮装置ならびに定期的高酸素送出量を必要とする酸素濃縮装置利用者は、比較的重い携帯式装置で妥協するか、または２つの酸素濃縮装置（一方は携帯使用に適し他方は定置利用の高酸素送出量に適する）を交互使用するかのいずれかになることが多い。
【発明の開示】
【発明が解決しようとする課題】
【０００３】
したがって、比較的軽量で携帯可能な設計を実現し、選択的に高酸素送出量を長時間生成することができる酸素濃縮装置システムが必要とされる。
【課題を解決するための手段】
【０００４】
酸素濃縮装置システムは、携帯式圧縮機を伴う携帯式酸素濃縮装置を有する携帯式システムを備える。携帯式システムは、電源と、制御システムと、第１の直接的流体供給を選択的に行うように構成された携帯式酸素送出口とをさらに備える。載置台が、携帯式システムに係合するように構成されている。載置台は、携帯式システムと係合されたとき、制御システムによって選択的に制御される。載置台は、携帯式酸素送出口を介して第１の直接的流体供給が行われている間は、定置式酸素送出口を介する第２の直接的流体供給の送出が作動不能である定置式酸素濃縮装置を有することができる。さらに、携帯式酸素濃縮装置では、定置式酸素送出口を介して第２の直接的流体供給が行われている間は、携帯式酸素送出口を介する第１の直接的流体供給の送出が作動不能である。
【０００５】
本開示の実施形態の目的、特徴、および利点は、以下の詳細な説明および図面を参照することによって明らかになろう。図面では、同様な参照番号は、必ずしも同一でなくとも同様な構成要素に対応する。既に記述された機能を有する参照番号は、必ずしもそれらが現れる他の図面と関連して記載されているとは限らない。
【発明を実施するための最良の形態】
【０００６】
本明細書に開示される酸素濃縮装置システムの１つまたは複数の実施形態は、有利には、システム係合用載置台に選択的に係合可能な携帯式システムを備え、それにより、この酸素濃縮装置システムは、移動使用および定置使用のいずれにも対応できる。携帯式システムは、載置台とは独立に患者に酸素を供給するのに必要な構成要素を備え、載置台は、携帯式システムがそれに係合されると、酸素送出量を増加することができるように構成することができる。したがって、有利には、載置台は、システムが移動モードにあるとき、高酸素送出量用の構成要素を持ち運ぶ必要をなくすことができる。載置台によって実行されるようになされる酸素送出量の増加は、処方に沿う増加設定および／または夜間の使用に好適であり得る。
【０００７】
また、本明細書で開示された酸素濃縮装置システムの１つまたは複数の実施形態は、有利には、従来の定置式および／または移動式システム（複合システムを含めて）より小型、軽量、かつ／またはパワー効率が良く、同時に性能期待値を維持または凌駕している。したがって、携帯式システムの１つまたは複数の構成要素は、携帯性および／または中庸の酸素送出量を目指して構成することができ、一方、載置台の１つまたは複数の構成要素は、定置使用および／または大容積の酸素送出を目指して構成することができる。携帯式システムおよび載置台は、それぞれ中庸の酸素送出量および大容積の酸素送出を目指して構成することができるが、所望なら、それらは低容積の酸素も供給できることを理解されたい。
【０００８】
本明細書で使用される「酸素」は広く解釈されるべきであり、純粋酸素、ならびに酸素を含む気体混合物を含み得ることをさらに理解されたい。
ここで図１および２を共に参照すると、酸素濃縮装置システム１０の一実施形態は、携帯式システム１４と、携帯式システム１４を係合するように構成された載置台１８とを備える。携帯式システム１４は、携帯式酸素濃縮装置２２、電源２６、電源接点４４、制御システム３０、および／または携帯式酸素送出口３４を備えることができ、酸素送出口３４は、直接的流体供給を選択的に行うように構成することができる。一実施形態では、携帯式酸素濃縮装置２２は、携帯式圧縮機３６を備え得る。
【０００９】
本明細書で用いられる限り、「直接的流体供給」は、貯蔵槽から供給されるのではなく、生成かつ／または取り出された後、実質的な遅れなく送出される流体供給を意味することを理解されたい。そのような直接的流体供給の例は、酸素濃縮装置２２から、実質的に遮蔽されていない通路を介して、酸素送出口３４まで流れる高濃度酸素ガスであり、次いで高濃度酸素ガスは、酸素送出口３４から患者に供給され得る。
【００１０】
携帯式システム１４は、軽量かつ／または携帯可能に構成することができる。一実施形態では、携帯式システム１４の重量は、約４．５４ｋｇ（約１０ポンド）以下であり、全体の体積は約６５５４ｃｍ３（約４００ｉｎ３）未満である。一実施形態では、この全体体積は約３２７７ｃｍ３（約２００ｉｎ３）〜約６５５４ｃｍ３（約４００ｉｎ３）の範囲であるが、この例に限定されるものではない。したがって、携帯式システム１４は、軽量になるように構成された１つまたは複数の構成要素を備えていてもよく、それら構成要素のいくつかの例としては、携帯式酸素濃縮装置２２、携帯式圧縮機３６、電源２６、制御システム３０、携帯式システム１４の構成要素および／または下位構成要素に含まれまたは相互接続され得る１つまたは複数のバルブ、および／またはやはり携帯式システム１４の構成要素および／または下位構成要素に含まれまたは相互接続され得る１つまたは複数の電気的構成要素がある。一実施形態では、構成要素は、設計および／または組成によって軽量になるように構成することができる。一例として、構成要素は、構成要素の重量を低減するためにより少数かつ／またはより小型の下位構成要素を使用するように設計し、かつ／または１つまたは複数の相対的に軽量な材料から製作することができるが、これに限定されるものではない。
【００１１】
次に、より詳細に図２を参照すると、一実施形態では、電源２６は、少なくとも１つの電池を備え、その電池は、使い捨て、充電式、またはそれらの組合せでよい。システム１０はまた、携帯式システム１４に係合され得る電源充電装置４８を備えることができる。一実施形態では、電源充電装置４８は、ＤＣ電池充電器であり、したがって、電源充電装置がＤＣ電源に接続されると、電池を充電するように構成することができる。電源充電装置４８は、電源接点４４および／または電源２６に連動式に接続され得る。ある実施形態では、電源充電装置４８は、携帯式システム１４内に配置され、別の実施形態では、電源充電装置４８は、携帯式システム１４から独立しているが、それと電気的に接続されている。
【００１２】
載置台１８は、制御システム３０によって選択的に制御することができる。したがって、一実施形態では、載置台１８は、それに携帯式システム１４が係合されたとき作動可能になる。言い換えれば、載置台１８が携帯式システム１４と係合されたとき、一度に１つの酸素濃縮装置システム（携帯式システム１４内または載置台１８内のいずれか）が作動し、患者は、作動しているシステムから（たとえば携帯式酸素送出口３４または定置式酸素送出口５４を介し（以下でさらに説明する））直接的流体供給を受ける。
【００１３】
載置台１８は、定置式酸素濃縮装置４２を備える。一実施形態では、携帯式システム１４が載置台１８に係合されているときに、携帯式酸素濃縮装置２２の作動中、定置式酸素濃縮装置４２は作動不能である。別の実施形態では、携帯式システム１４が載置台１８に係合されているとき、定置式酸素濃縮装置４２は作動可能である。さらに別の実施形態では、携帯式システム１４が載置台１８に合体されているとき、操作者が携帯式酸素濃縮装置２２と定置式酸素濃縮装置４２との間の選択を行うことができる。さらに、携帯式システム１４が定置式システム１８に係合されたとき、酸素濃縮装置システム１０は、定置式酸素濃縮装置４２または携帯式酸素濃縮装置２２のいずれかを所望通りに作動させるようにプログラムすることができることを理解されたい。
【００１４】
載置台１８は、電源２６に電力を選択的に導くように構成された電源ジャック４６を有することができる。システム１０はまた、載置台１８に係合することができる第２のまたは代替の電源充電装置４８’を備えていてもよい。電源充電装置４８’は、携帯式システム１４が載置台１８に係合されたとき、電源２６を選択的に充電するように構成することができる。一実施形態では、電源充電装置４８’は、ＤＣ電池充電器であり、したがって、電源充電装置がＤＣ電源に接続されたとき、電池を充電するように構成することができる。電源充電装置４８’は、電源ジャック４６および／または電源２６に連動式に接続することができる。一実施形態では、電源充電装置４８’は、載置台１８内に配置され、別の実施形態では、電源充電装置４８’は、載置台１８から独立しているが、それと電気的に接続されている。
【００１５】
載置台１８は、電源ジャック４６および／または定置式酸素濃縮装置４２に電動式接続することができる制御導入口５０を備える。制御導入口５０は、制御システム３０から１つまたは複数の制御信号を選択的に受け取るように構成することができる。したがって、制御システム３０は、携帯式システム１４および／または載置台１８の作動を選択的に制御するように構成することができる。一例として、制御システム３０は、携帯式システム１４および／または載置台１８に１つまたは複数の指令を発するように構成することができるが、これに限定されるものではない。それら指令は、たとえば、携帯式システム１４および／または載置台１８の作動開始、酸素容積の増加、酸素容積の減少、作動停止、および／またはその他の指令を所望通りに実行するため携帯式システム１４および／または載置台１８をトリガーするように構成することができることを理解されたい。
【００１６】
載置台１８はまた、定置式酸素濃縮装置４２に連動式に接続され、直接的流体供給を選択的に行うように構成された定置式酸素送出口５４を備える。一実施形態では、載置台１８は、定置式酸素送出口５４を介して高酸素送出量の供給を選択的に行うように構成することができる。本明細書の定義では、「酸素送出量」は、携帯式システム１４および／または定置式システム１８から患者への酸素の供給量を指す。適切な酸素送出形態としては、それに限定されないが、酸素の流れ、酸素のパルス、酸素のボーラス、またはそれらの組合せが挙げられる。一例では、高酸素送出量は、連続送出で約０．５標準リットル／分（ｓｌｐｍ）から約８．０ｓｌｐｍの範囲にあるが、これに限定されない。低量の酸素送出は、一般にパルス供給ボーラスである。先に示唆したように、携帯式酸素濃縮装置２２および定置式酸素濃縮装置４２は、それら２２、４２が１つの共通送出口を通して流体を送出するようには構成されていないことを理解されたい。逆に、それぞれが、個々の送出口３４、５４を通して直接的流体供給を行う。
【００１７】
一実施形態では、定置式酸素濃縮装置４２は、制御導入口５０を介して制御信号を受け取ることを理解されたい。したがって、定置式酸素濃縮装置４２および定置式酸素送出口５４を備える載置台１８は、携帯式システム１４が載置台１８に係合されているとき作動可能になる。別の実施形態では、電源および制御機構は、携帯式システム１４と載置台１８との間で共有され、高酸素濃度の流体を供給するのに必要な他の全ての構成要素は、携帯式システム１４と載置台１８とがそれぞれ独立に備える。
【００１８】
一実施形態では、電気コンバータ５８が、載置台１８に連動式に接続され、携帯式システム１４および／または載置台１８に流れる電気をＡＣ（交流）からＤＣ（直流）へ変換するように構成されている。電気コンバータ５８は、電源ジャック４６および／または電源充電装置４８、４８’に連動式に接続されていてもよい。電気コンバータ５８は、システム１０（携帯式システム１４および／または載置台１８を備える）が、たとえば標準的電気差込口からの電力などの交流、または、たとえば自動車やボートなどからの補機用電力などの直流のいずれでも作動可能であるように構成することができることを理解されたい。一実施形態では、携帯式システム１４は、独立して直流で作動するように構成され、携帯式システム１４および載置台１８の両方を備えるシステム１０は、交流で作動するように構成されている。
【００１９】
予備電源２６’は定置式システム１８に取り外し可能に係合し、電源充電装置４８’によって充電することができる。電源２６が空になった場合、予備電源２６’を用いて携帯式システム１４の作動時間を延長することができる。
【００２０】
上記のように、携帯式システム１４が載置台１８に係合されているとき、定置式酸素濃縮装置４２の作動中は、携帯式酸素濃縮装置２２は作動不能である。あるいは、携帯式システム１４が載置台１８に係合されているとき、携帯式酸素濃縮装置２２の作動中は、定置式酸素濃縮装置４２は作動不能である（すなわち、携帯式システム１４と載置台１８が合体している間は、患者が２つの間を選択することになる）。さらに別の実施形態では、携帯式システム１４が載置台１８に係合されていないとき、定置式酸素濃縮装置４２は作動不能である。
【００２１】
代替例として、携帯式システム１４と載置台１８が係合していない（合体していない）とき、所望なら濃縮装置２２、４２のそれぞれは同時に作動させることができ、この実施形態では、定置式システム１８は、携帯式システム１４の制御システム３０と同様な、それ自体の制御システム（図示せず）を有し得ることを理解されたい。
【００２２】
定置式酸素濃縮装置４２を備える載置台１８は、携帯式酸素濃縮装置２２を用いる携帯式システム１４によって供給される流体の流れに比較して、増加した流体流れを供給できるように構成することができる。載置台１８は、比較的連続的な電力源である電源２６’に接続されるので、流体の流れを、増加した流体流れも含めて、長時間、一般に時間の制約なく供給できるように構成することができる。「増加した流体流れ」は広く解釈されるべきであり、携帯式システム１４のみを使用してシステム１０によって送出される酸素の量より大きくなり得る、載置台１８を使用してシステム１０によって送出される酸素の量を含めることができる。さらに「増加した流体流れ」または「高濃度酸素ガス」は、送出流体の所定の酸素濃度および／または所定の酸素送出流量（すなわち所定の時間内での酸素送出容積）として定義することができる。一例として、増加した流体流れは、処方に沿った増加設定および／または夜間使用にとって好ましい場合があるが、これに限定されるものではない。載置台１８および／または定置式酸素濃縮装置４２の適切な１つまたは複数の実施形態を使用することによって、所望の流体送出を実現することができることを理解されたい。
【００２３】
携帯式酸素濃縮装置２２および／または定置式酸素濃縮装置４２は、所望の高濃度酸素ガスを生成するために適切な装置および／または構成を備えることができる。非限定的例として、携帯式酸素濃縮装置２２および／または定置式酸素濃縮装置４２は、圧力スイング吸着（ＰＳＡ）システムまたは真空圧力スイング吸着（ＶＰＳＡ）システム６４、６８それぞれを備えることができる。一実施形態では、ＰＳＡまたはＶＰＳＡシステム６４、６８は、ＰＳＡまたはＶＳＡふるい床、弁、接手、多岐管、管路、圧力感知器、酸素感知器、濾過器、および／またはそれらの組合せを備える。
【００２４】
一実施形態では、携帯式酸素濃縮装置２２および／または定置式酸素濃縮装置４２は、携帯式圧縮機３６および定置式圧縮機６６などの圧縮機を備える。それぞれの圧縮機３６、６６は、周囲の気体（すなわち空気）を取り込み、その気体を加圧し、加圧された気体をＰＳＡまたはＶＰＳＡシステム６４、６８それぞれに送り込む。ＶＰＳＡシステムが使用されるときは、加圧気体を真空に引く手段もやはり備えることを理解されたい。そのような手段の例は、真空ポンプであるが、これに限定されるものではない。
【００２５】
別の実施形態では、電動機６２が、載置台１８に係合され、付加的に、携帯式圧縮機３６に選択的に連結（図２の破線７０で示される）され、それを増速駆動し、それによって、圧縮空気を定置式酸素濃縮装置４２に送り込むことができるように構成することができる。携帯式圧縮機３６を増速駆動することにより、携帯式圧縮機３６の増速駆動なしに達成される流体流量に比較して、増加した流体流れを携帯式圧縮機３６から得ることができる。したがって、電動機６２は、所望の流体圧力および流量を実現して、上記で定義した増加した流体流量を達成することができる。一実施形態では、電動機６２は、所望なら、電気コンバータ５８、電源充電装置４８’、予備電源２６’、および／または付加的電子回路と共に組み込むことができる。
【００２６】
先に示したように、定置式酸素濃縮装置４２はまた、定置式圧縮機６６を備えることができる。定置式圧縮機６６は、携帯式システム１４が載置台１８に係合されたとき、圧縮流体を定置式酸素濃縮装置４２に選択的に供給するように構成することができる。定置式圧縮機６６は、携帯式システム１４が載置台１８に係合されたときに、自動的に初期設定圧縮機になるように構成することができる。定置式圧縮機６６は、所望の流体圧力および流量を実現して、上記で定義した増加した流体流量を達成することができる。一実施形態では、定置式圧縮機６６は、所望なら、電気コンバータ５８、電源充電装置４８’、予備電源２６’、および／または付加的電子回路と共に組み込むことができる。
【００２７】
別の実施形態では、携帯式システム１４が合体されたとき、定置式濃縮装置４２を携帯式システム１４の圧縮機３６に接続することができる。この実施形態では、定置式システム１８は、それ自体の圧縮機を有さずに、携帯式システム１４の圧縮機３６を作動的に使用することができるように構成することができることを理解されたい。これに限定されない実施形態では、（上記の通り）定置式システム１８は、定置式システム１８と携帯式システム１４が接続されないと、作動不能であり得ることもまた理解されたい。
【００２８】
本明細書で使用される限り、「作動可能」は、広く解釈されるべきであり、作動することが可能である状態を指すことができることを理解されたい。したがって、「作動可能」は、装置または構成要素が使用可能であることを意味する。一実施形態では、「作動可能」とは、装置または構成要素が操作可能なとき常に使用されていることを必要とはしない。例として、定置式酸素濃縮装置４２は、停止されている（したがってその時点では作動していない）場合でも作動可能であり得る。さらに、本明細書で用いられる「作動不能」は、「作動不能」なシステム１４／載置台１８それぞれの１つまたは複数の構成要素が同時に機能し得ていても、それぞれのシステム１４／載置台１８が、患者に酸素を供給していないことを示すものである。
【００２９】
さらに、用語「係合された、係合する、係合している」、「接続されている」などは、本明細書では広く定義され、種々様々な接続構成および組立技法を包含することを理解されたい。これらの構成および技法としては、それに限定されないが、他方の構成要素と「係合」している一方の構成要素は、他方の構成要素となんらかの意味で連動式に接続されている（それらの間に１つまたは複数の付加的構成要素が存在しても）ことを前提として、（１）ある構成要素と別の構成要素とを、それらの間に構成要素を介在させずに直接接続すること、および（２）ある構成要素と別の構成要素を、それらの間に１つまたは複数の構成要素を伴って接続することが挙げられる。たとえば、携帯式システム１４は、それらの間に他の構成要素が配置されたとしても、載置台１８に係合することができる。
【００３０】
いくつかの実施形態が、詳細に記述されてきたが、開示された実施形態は変更することができることは当業者には明らかであろう。したがって、前述の説明は、限定するものではなく例示的なものと考えるべきである。
【図面の簡単な説明】
【００３１】
【図１】携帯式システムおよび分離されたシステム係合用載置台を示す酸素濃縮装置システムの一実施形態の概略透視図である。
【図２】図１の酸素濃縮装置システムの部分システムブロック図である。
【符号の説明】
【００３２】
１０  酸素濃縮装置システム
１４  携帯式システム
１８  載置台
２２  携帯式酸素濃縮装置
２６  電源
２６’  予備電源
３０  制御システム
３４  携帯式酸素送出口
３６  携帯式圧縮機
４２  定置式酸素濃縮装置
４４  電源接点
４６  電源ジャック
４８  電源充電装置
４８’  第２の電源充電装置
５０  制御導入口
５４  定置式酸素送出口
５８  電気コンバータ
６２  電動機
６４  圧力スイング吸着（ＰＳＡ）システムまたは真空圧力スイング吸着（ＶＰＳＡ）システム
６６  定置式圧縮機
６８  圧力スイング吸着（ＰＳＡ）システムまたは真空圧力スイング吸着（ＶＰＳＡ）システム
７０  破線
【図１】
2008208023.tif 000003
【図２】
2008208023.tif 000004